(57)【要約】      （修正有）【課題】介護者が被介護者の身体の洗浄を行うとき、便利で、タオルやスポンジを使うよりも楽に、しかも両面とも左右どちらの手にも装着して使用できる便利な介護用浴用ミトンを提供する。【解決手段】ダブルラッセル機により編成され、一面が引き揃え鎖編目列をジグザグ状にウエール間結合することにより穴Ｓを形成してメッシュ状に編成されたやや分厚な編地２、他面が鎖編目列と挿入糸により碁盤状に編成された織物状編地３よりなり、適宜、任意の個所で両面が結合されてなる二重の編地を用い、該編地のメッシュ状編地面２を表面側、織物状編地３を内面側としてミトン１を成形縫製すると共に、手に装着したとき指を出すための開口部を両面とも左右どちらの手にも着装できるようミトン両側面に開口し、かつ手首部には緊縮部５を設けて形成する。【選択図】図１
0003157624.tif 000002
【実用新案登録請求の範囲】
【請求項１】
ダブルラッセル機により編成され、一面が並列した複数の鎖編目列を引き揃えて、該引き揃え鎖編目列をジグザグ状にウエール間結合することにより穴を形成してメッシュ状に編成された編地、他面が鎖編目列と挿入糸により碁盤状に編成された織物状編地よりなる表裏二面の編地を適宜、任意の個所で結合せしめた二重の編地を用い、該編地のメッシュ状編地面を表面側、織物状編地を内面側としてミトンを成形縫製してなると共に、手に装着した指を出すための開口部をミトン前面，背面の両面とも左右どちらの手に着装しても出せるようにミトン両側面に開口し、かつ手首部に緊縮部を設けてなることを特徴とする介護用浴用ミトン。
【請求項２】
ダブルラッセル機により編成される編地形成糸が、表面側メッシュ状編地は綿糸又は綿糸とポリエステル糸との併用であり、内面側編地はポリエステル糸である請求項１記載の介護用浴用ミトン。
【考案の詳細な説明】
【技術分野】
【０００１】
本考案は介護者が被介護者の身体の洗浄を行うときに便利な介護用浴用ミトンに関するものである。
【背景技術】
【０００２】
従来、医療介護用として用いられている手袋は、主として要介護者や要看護者が自身の手を保護するために装着されており（例えば特許文献１参照）、介護者が被介護者の身体を洗浄する際には特に手袋，ミトン等を使用することなく、または使用しても一々タオルやスポンジを持ち替えて行っているのが現状であり、頗る不便を感じていた。
【０００３】
一方、ミトンを装着して洗い具，ふき取り用具などの用途に使用することが知られており、このとき使用に便利なように手に装着したときに指を出すための開口部をミトン両側面に設けることが提案されている。（例えば特許文献２参照）
しかし、このミトンは左右どちらの手にも着装ができて洗い具，ふき取り用具などの用途に簡単に使用できるにしても、介護用に使用することは考慮されておらず、従って、介護用として浴用に適した構造は全く具備していない。
【先行技術文献】
【特許文献】
【０００４】
【特許文献１】特開２００９−１０８４３１号公報
【特許文献２】特開２００７−７７５８０号公報
【考案の概要】
【考案が解決しようとする課題】
【０００５】
本考案は上述の如き実状に鑑み、介護者が被介護者の身体の洗浄を行うのに、安定感があってかつ便利であり、しかも特にタオルやスポンジを使用せず、楽に洗浄できるミトンを提供することを目的とするものである。
【課題を解決するための手段】
【０００６】
即ち、上記目的に適合する本考案ミトンは、ダブルラッセル機により編成され、一面が複数の鎖編目列を引き揃え、ジグザグ状にウエール結合することにより穴を形成してメッシュ状に編成された編地、他面が鎖編目列と挿入糸により碁盤状に編成された織物状編地よりなる表裏二面の編地を適宜、任意の個所で両面結合してなる二重編地を用い、該編地のメッシュ状編地面を表面側、織物状編地を内面側としてミトンを縫製してなると共に、該ミトンを手に着装したときミトン前面側，背面側とも左右どちらの手にも着装できるよう指を出すための開口部をミトン両側面に設け、かつ手首部を緊縮せしめた構成を特徴とする。ここで、上記ダブルラッセル機により編成される編地を形成する糸としては表面側メッシュ状編地は綿糸又は綿糸とポリエステル糸との併用が好ましく、両面側織物状編地はポリエステル糸の使用が好ましい。
【考案の効果】
【０００７】
本考案は以上のようにダブルラッセル機によりミトン表面側が引き揃え鎖編目列によりメッシュ状に編成されたやや分厚な編地、内面側が挿入糸により織物状に編成された編地により構成されているため、全体的に柔軟性を有していると共に、表面側のやや分厚いメッシュ状編地によりタオルやスポンジの必要なく効率的に洗浄することができ、しかもミトン両側面に前後両面とも左右どちらの手にも着装できるよう開口部を備えているため、両面とも左右何れの手に対しても装着使用が可能で、また、介護洗浄にあたり、開口部より親指を出すことで頗る安定感を有している。なお、ミトン表面側編地に綿糸を含む糸を用いることにより、洗浄効果が良好となり、内面側編地はポリエステル糸を用いることにより乾きが早く好適であると共に手首部の緊縮部により洗浄作業中、脱落することがない効果もある。
【図面の簡単な説明】
【０００８】
【図１】本考案ミトンの前面側概要図である。
【図２】本考案ミトンの背面側概要図である。
【図３】本考案ミトンの内面側概要図である。
【図４】本考案ミトンの二重編地の詳細図である。
【考案を実施するための形態】
【０００９】
以下、更に添付図面を参照し、本考案ミトンの具体的態様について説明する。図１，図２は本考案ミトンの前面，背面を示す図で、図中、１はミトン、１ａは該ミトンの前面側、１ｂは同背面側を示し、前面，背面共に表面側は複数の鎖編目列を引き揃え、該引き揃え鎖編目列ａをジグザグ状にウエール結合することによりより穴Ｓを形成してメッシュ状に編成されたやや分厚な編地２よりなり、内面側は切欠部ならびに図３に見られる如く鎖編目列ｂと挿入糸ｃにより碁盤状をなして織物状に編成された編地３により構成されており、その両側面には前面側，背面側ともに左右どちらの手にも着装できるよう指を出すための開口部４，４′が対称的に設けられており、かつ手首部は脱落防止用の緊縮部５となっている。
【００１０】
上記ミトン１はダブルラッセル機の前後ニードルバーにより一方で並列された複数の鎖編目列を引き揃えて、該引き揃え鎖編目列ａをジグザグ状にウエール間の結合をはかることにより穴Ｓを有するメッシュ状編地２を編成し、他方で一直線をなす鎖編目列ｂに挿入糸ｃを挿入して碁盤目の織物状の編地３をそれぞれ編成すると共に、これら両編地２，３を任意の個所で結合することによってダブルラッセルによる二重の編地として、この二重編地をメッシュ状編地２を表面側，織物状編地３を内面側としてミトン状に裁断し、縫製することによって作成され、両側面の開口部２，２′はそれぞれ両面が左右どちらの手にも着装できるよう位置を決めて開口し、各開口縁をそれぞれかがりつけ、補強することによってミトンが完成される。なお、図中、６は掛け紐である。
【００１１】
以上のミトン作成において用いる編糸としてはポリエステル糸が一般的であるが、必らずしもこれに拘束されるものではなく、特に表面側にタオル，スポンジ等の代用となるよう綿糸又は綿糸とポリエステル糸を併用し、内面側は装着したとき触感を良好ならしめ、かつ、乾きを早くするためポリエステル糸を使用することが好適であり、かつ有効である。また、ミトンの両側面には両面が左右どちらの手にも着装できるように夫々、手に装着したとき親指を出し易くする開口部４，４′が前面，背面側それぞれの面において図示の如く両側やや内寄りに設けられていて、ミトンの有効利用がはかられる。
【００１２】
以上の構成を有するミトンは特に介護者が被介護者の洗浄に使用するのに両面を利用し、左右どちらの手にでも着装して親指を開口部より出して安定感よく洗浄することができる。
【符号の説明】
【００１３】
１：ミトン
２：表面側メッシュ状編地
３：内面側織物状編地
４，４′：開口部
５：緊縮部
ａ：引き揃え鎖編目列
ｂ：鎖編目列
ｃ：挿入糸
Ｓ：穴
【図１】
0003157624.tif 000003
【図２】
0003157624.tif 000004
【図３】
0003157624.tif 000005
【図４】
0003157624.tif 000006